(57)【特許請求の範囲】
【請求項１】
箱を封緘している粘着テープを切断し箱を開封する目的で、指にはめて使用する輪であって、箱を封緘している粘着テープを切断するための刃物ではない切断用の突起と、開封時に前記指輪の腕の円周と略平行方向に前記指輪を移動させる際に前記突起に加わる力によって指の周りを輪が回転することを防ぐための回転防止用の突起を前記輪の外周の別々の場所に備えたことを特徴とする、箱の開封が容易にできる指輪
【発明の詳細な説明】
【技術分野】
【０００１】
本発明は、粘着テープで封かんされた箱を、安全に内容物を傷つけることなく簡単かつ楽に粘着テープを切断し、開封できる指にはめて使用する「箱の開封が容易にできる指輪」に関するものである。
【背景技術】
【０００２】
粘着テープを用いて封かんされた箱や容器の開封は、粘着テープを剥がすか、ナイフなどの道具を用い粘着テープを切断することにより行われてきた。
しかし、粘着テープを剥がす方法では、粘着力が強く剥がすことが容易ではないため、短時間に多数の箱を開封することは困難であった。また、ナイフなどを利用して粘着テープを切断して開封する場合は、内容物を傷つける可能性があるため慎重さが要求され、多数の箱の開封には不向きであった。さらに、内容物を傷つけないために刃物の使用を禁止する箱もある。
【０００３】
このような事態を回避するために、特許文献１に記載された「段ボール箱」は、段ボール箱を封かんしている粘着テープを簡単に引き剥がすために、粘着テープ近くの箱に切れ目を入れている。
特許文献２に記載された「段ボール箱開封用具」は、端面板側から内フラップと外フラップの間に刃が付いた三角形の板を差し込み、端面板と外フラップ間の粘着テープを切断するとともに、前記三角形の板に設置された縦刃を用いて一対の外フラップ間の粘着テープを切断し開封する器具である。このため、刃によって内容物を傷つけることなく開封できる。
特許文献３に記載された「カッター付きペン」は、粘着テープを簡単に切断する目的で、ペンの先に突起を付けたものである。突起を粘着テープに突き刺して利用する。突起には刃がついていないため、内容物を傷つけることはない。
特許文献４に記載された「開封が容易な封緘された箱」は、フィルムを基材とする粘着テープで箱を封かん後に、粘着テープに切れ込みを形成した箱なので、合わせ目に対向する粘着テープを指の爪で押し、合わせ目に沿って移動させるだけで粘着テープを切断し開封できるため、内容物を傷つけることもない。
【先行技術文献】
【特許文献】
【０００４】
【特許文献１】特開２００４−１７５４５１号公報
【特許文献２】登録実用新案第３０３６０５３号公報
【特許文献３】特開２００３−２５１９９４号公報
【特許文献４】特許第５５３６２５６号公報
【発明の概要】
【発明が解決しようとする課題】
【０００５】
しかしながら、特許文献１に記載された「段ボール箱」は、粘着テープを剥がして開封する方法なので、日常業務などで多数の箱を開封する場合は、剥がす力が負担となるため適切な方法とは言い難いし、剥がしたテープの処理に時間が必要になる。
特許文献２に記載された「段ボール箱開封用具」は、先が尖った刃になっているため、使用にあたって怪我に対する注意が必要であり、販売店など周囲に不特定多数の人がいる中では使いにくい。
特許文献３に記載された「カッター付きペン」は、開封時に握って利用するため、箱を開封し商品を取り出す時は、手放す必要があり、面倒である。また、厚い粘着テープは、力を入れてペン先を突き刺す必要があるが、ペンを握って刺すことになるため握力が必要であり、握力の弱い人や多数の箱の開封には不向きである。
特許文献４に記載された「開封が容易な封緘された箱」は、爪を用いるため道具は不要で簡単に開封できるが、日常業務などで多数の箱を開封する場合は爪や指に負担が生じる可能性がある。
【０００６】
本発明は、このような従来技術の問題点に着目してなされたものであって、毎日であっても多量の箱を簡単かつ楽に開封でき、かつ、特別な注意をせずとも怪我をしたり内容物を傷つけたりすることがなく作業ができる。さらに、ゴミの発生がなく、箱の開封と箱から内容物を取り出す作業が連続して効率的に行える開梱を容易にする器具を提供することを目的とする。
【課題を解決するための手段】
【０００７】
上記目的を達成するため、請求項１記載の箱の開封が容易にできる指輪は、箱を封緘している粘着テープを切断し箱を開封する目的で、指にはめて使用する輪であって、箱を封緘している粘着テープを切断するための刃物ではない切断用の突起と、開封時に前記指輪の腕の円周と略平行方向に前記指輪を移動させる際に前記突起に加わる力によって指の周りを輪が回転することを防ぐための回転防止用の突起を前記輪の外周の別々の場所に備えたことを特徴とする。
【０００８】
本発明の作用を説明するために、外フラップを突き合わせて粘着テープで封かんした箱を例に説明する。なお、これ以外の箱でも同様に作用する。
本発明の箱の開封が容易にできる指輪を指にはめ、箱を封かんしている粘着テープを切断するための指輪の外周にある突起を、箱の一対の外フラップが形成する合わせ目に対向する粘着テープに垂直に押し当て、粘着テープに突き刺して亀裂を作る。次に、箱に指輪を押し当てたまま前記合わせ目に沿って指輪を移動させると、粘着テープを切断するための突起が抵抗となり、指を軸として指輪を回転させる力が加わる。しかし、前記回転を防ぐための形状により指輪は回転せずに、粘着テープを切断する突起を粘着テープに刺したまま合わせ目に沿って移動させることができ、粘着テープの亀裂も同様に合わせ目に沿って伸長する。その後、どちらかの外フラップを押し下げ外フラップの合わせ目に開いた隙間から指を差し込み、外フラップを片方ずつ持ち上げ開封し、前記指輪を装着したまま内容物を取り出すことができる。
【０００９】
開封した箱から商品を取り出す時に、本発明の指輪の粘着テープを切断するための突起により商品を傷つける可能性がある場合は、指輪を回転させ、手の甲側に前記突起を位置させることで傷つける可能性をさらに低くできる。
また、封かんに用いた粘着テープが厚い場合でも、体重を指輪にかけることで、粘着テープを切断するための突起を粘着テープに突き刺すことができるため、ボールペンの先程度の鋭さのものであれば切れ込みを形成でき、刃物を使う必要性がない。よって、本発明の粘着テープを切断するための突起は、日常生活の中で前記突起が皮膚にあたっても怪我をすることがない突起で、刃物などを除くものである。
このように本願では箱を封緘している粘着テープを切断するための突起は刃物のような鋭さを持つ必要がないため、指にはめて箱の商品を取り出す作業を行っても、商品を傷つける可能性は低い。また、粘着テープを切断するための突起は指輪の外周に形成されているため、開封作業時に突起の高さ以上に箱に陥入することがないため、箱の内容物を傷つけにくい。
【００１０】
本発明の指の周りを輪が回転することを防ぐための形状とは、指や手の甲や腹の部分または、箱が指輪の回転の障害になるように輪の形が変形したもので、例えば指輪の外周部の突起や指輪の外周部の一部の形が箱に密着するように板状になった指輪などである。
本発明の箱を封緘している粘着テープを切断するための突起は、特許文献4のように封かんした箱の粘着テープに切れ込みがある場合は、爪のような半円形の薄板状のなめらかな突起でも十分開封できる。
前述のように、本発明の指輪は、突起を粘着テープに押し付けるときに上から体重をかけて押しやすいので、多数の箱を日常的に開封しても疲れにくい。さらに、ＯＰＰなどでできたフィルムを基材とする粘着テープは一度亀裂が生じると容易に亀裂が伸長するので、合わせ目に沿った移動も楽にできる。また、粘着テープを切断して開封する方法なので、剥がした粘着テープのゴミが出ない。
本発明は、指にはめて指輪のように利用するので、開封後に指から外す必要がなく、箱の開封と内容物の取り出しが連続で行えるので、作業効率が良い。
【発明の効果】
【００１１】
本発明は、指にはめて使用するため、箱を封かんしている粘着テープに体重を利用して指輪の突起部分を押し当てることができるので、刃物を用いずに箱を封かんしている粘着テープを簡単かつ楽に切断できる。また、刃物を用いていないため安全に開封でき、商品を傷つける可能性も低い。また、箱を封かんしている粘着テープを切断して開封する方法なので剥がした粘着テープのゴミが発生せず、業務などで日常的に多くの箱を開封する場合や店舗などでの利用に適している。
さらに、指にはめたまま開封した箱から内容物を取り出す作業を行えるので、作業が効率的に行える。
【図面の簡単な説明】
【００１２】
【図１】実施例１の「箱の開封が容易にできる指輪」の斜視図
【図２】実施例１のＡ−Ａ´部分の拡大図
【図３】実施例１の開封の対象となる粘着テープで封かんされた箱の図
【図４】実施例１の「箱の開封が容易にできる指輪」の使用状態を示す図
【図５】実施例１の第1の変形例の開封の対象となる箱の図
【図６】実施例１の第1の変形例のＡ−Ａ´部分の拡大図
【図７】実施例１の第1の変形例の粘着テープを切断するための突起のＢ−Ｂ´部分の拡大図
【図８】実施例２の「箱の開封が容易にできる指輪」の斜視図
【実施例】
【００１３】
本発明の「箱の開封が容易にできる指輪」（以下、指輪と記す。）は、封かんされた箱を簡単かつ楽に開封するために用いるものである。指に装着して利用するが、装着する指や個人差により指輪の大きさや突起の適切な位置が異なる。実施例の指輪は親指にはめて使用するが、ほかの指の場合はその指にあった大きさが良い。粘着テープを切断するための突起の位置も指によって異なる。利用する指によって突起の位置を変えるものとする。
よって実施例における数値は、特に断りがない限り、例としての数値であり、これらの数値や親指での利用によって本願の発明が制限されるものではない。
開封の対象となる箱については、例として段ボール箱を対象に説明する。
【００１４】
（実施例１）
本発明の実施例１にかかる指輪について、図１乃至図４を用いて説明する。
図１は、実施例１の指輪の斜視図である。指輪の輪１の外周に指輪が指のまわりを回転することを防ぐための形状である突起２（以下、回転防止用の突起と記す。）と、段ボール箱を封かんしている粘着テープに亀裂を生じさせるための突起３（以下、切断用の突起と記す。）を備えた指輪である。αは指輪の中心から回転防止用の突起２の中心と切断用の突起３の中心までの角度を示したもので時計回りに角度が増えていくものとする。
【００１５】
実施例１の指輪の内径は親指が入る２５ｍｍ、指輪の輪の幅は６ｍｍ、輪の厚さは２ｍｍである。回転防止用の突起２は、指輪の輪の部分に輪の外側に向けて、高さ１５ｍｍ、輪に沿った幅６ｍｍ、円周に直角方向の幅６ｍｍの大きさで形成されている。
切断用の突起３は、人や物を傷つけないように頂点が丸くなった円錐形をしており、高さが４ｍｍで、根本の部分の太さは２ｍｍである。図２は、図1のＡ−Ａ´部分の切断用の突起３を拡大したものである。
切断用の突起３は、図１に示すように回転防止用の突起２の中心からαが150度の位置に形成されている。
【００１６】
実施例１の作用と効果を図３と図４をもとに述べる。
図３は、実施例１の指輪の開封の対象となる段ボール箱で、外フラップ４を折りたたんで、外フラップ４の合わせ目８周辺と両方の端面板５を粘着テープ７で貼ることにより封かんしている段ボール箱である。
図４は、実施例１の指輪の使用状態を示す図で、回転防止用の突起２が手の甲側でかつ人差し指の基部にあたるように、実施例１の指輪を親指にはめて装着する。
図３に示す封かんされた段ボール箱の一対の外フラップの合わせ目部分の粘着テープに、切断用の突起３を押し当て穴を開ける。このとき切断用の突起３は粘着テープを貫通し外フラップの合わせ目に差し込まれた状態になる。箱に指輪を押し当てたまま切断用の突起３を合わせ目に沿うように図４のｐからｐ´方向に指輪（手）を移動させると、切断用の突起３の抵抗により、指輪はoからo’の方向に回転しようとするが、回転防止用の突起２が人差し指の基部にあたり指輪は回転できないので、切断用の突起３は合わせ目に沿って動くことができ、粘着テープは切断される。切断後、どちらかの外フラップを押して指を合わせ目から入れ、片方ずつ外フラップを引き起こすと段ボール箱を簡単かつ楽に開封することができる。
封かんしている粘着テープが厚い場合は、体重をかけて切断用の突起３を粘着テープに押しつけることができるので、粘着テープに穴を開けやすい。切断用の突起３は先が丸いので人や内容物を傷つける可能性が低い。さらに、指にはめたまま内容物の取り出し作業ができるので作業効率が上がる。
【００１７】
実施例1の第1の変形例について、図１と図５、図６、図7を用いて述べる。
第1の変形例は、図1の指輪のＡ−Ａ´部分が図６に示す切断用の突起３ａに置き換わったものである。図７は図６のＢ−Ｂ´の部分で切り取った切断用の突起３ａの斜視図である。その他の構成は実施例１と同じである。図５は、実施例１の第１の変形例の指輪の開封の対象となる箱を示したものである。図５の箱は、外フラップ４ａを折りたたんで、外フラップ４ａの合わせ目８ａ周辺と両方の端面板５ａを粘着テープ７ａで貼ることにより封かんされた段ボール箱であって、粘着テープ７ａが切断しやすいように両端面板５ａに近い一対の外フラップの合わせ目に対向する粘着テープに切れ込み９が形成してある箱である。
図６、図７に示したように実施例１の第１の変形例の切断用の突起３ａは半円形の薄板状のなめらかな突起であるため、人や箱の内容物を傷つける恐れはほとんどない。しかし、粘着テープに亀裂を生じさせることもできないので、図５の箱のように粘着テープに切れ込みが形成されている箱に利用できる。
【００１８】
実施例１の第１の変形例の作用と効果について図４、図５、図６を用い述べる。
実施例１の第１の変形例の指輪を図４のように回転防止用の突起２ａ（図は省略）が手の甲側でかつ、人差し指の基部にあたるように親指に装着する。
指輪の切断用の突起３ａを図５に示す箱の合わせ目８ａに対向する切れ込み９が形成された粘着テープ７ａに押し当てると、切れ込み９に力が加わり亀裂を生じる。このとき切断用の突起３ａは粘着テープを貫通し外フラップの合わせ目に差し込まれた状態になる。箱に指輪を押し当てたまま切断用の突起３ａを合わせ目に沿うように図４のｐからｐ´方向に指輪（手）を移動させると、実施例１と同様に、指輪に備わる回転防止用の突起２ａにより指輪は回転しないために切断用の突起３ａを合わせ目に沿って動かすことができ、亀裂も合わせ目に沿って伸長し、簡単かつ楽に粘着テープを切断し開封することができる。
図５に示した特許文献４のように予め封かんしている粘着テープに切れ込み９が形成されていると、爪だけでも開封可能であるが、開封する段ボール箱の数が多いと爪や指先に大きな負担がかかる可能性がある。本実施例では爪や指先に負担をかけずに手早く開封できる。
【００１９】
（実施例２）
本発明の実施例２の指輪について、図１と図２、図８を用いて説明する。
図８は、実施例２の指輪の斜視図である。実施例２では、実施例１の回転防止用の突起２の代わりに図８に示すように指輪の外側の一部の形が箱に密着するように板状２ｂになっている。この板状の部分に切断用の突起３ｂが形成されている指輪である。
実施例２の指輪は実施例１と同様に、指輪の内径は親指が入る２５ｍｍ、指輪の輪の幅は６ｍｍ、指輪の輪の厚さは２ｍｍである。切断用の突起３ｂも実施例１と同じで、図２で示すように頂点が丸くなった円錐形をしており、高さが４ｍｍで、根本の部分の太さは２ｍｍである。
【００２０】
回転防止のための板状部分は、指輪の外形が円弧から平面状に変形したもので、長さ１８ｍｍ、幅６ｍｍで中央に前記切断用の突起３ｂが形成されている。
実施例２の作用と効果について図３と図８を用いて説明する。
実施例２の指輪を親指にはめて装着する。図３に示す封かんされた段ボール箱の一対の外フラップの合わせ目部分の粘着テープに、指輪の板状部分を向けて上から押すと、切断用の突起３ｂが合わせ目部分の粘着テープに穴を開ける。このとき切断用の突起３ｂは粘着テープを貫通し外フラップの合わせ目に差し込まれた状態になる。箱に指輪を押し当てたまま切断用の突起３ｂを合わせ目に沿うように指輪（手）を移動させると、切断用の突起３ｂの抵抗により、指輪は親指を軸に回転しようとするが、指輪を箱に押し付ける力で指輪の板状部分が箱の外フラップと密着するので指輪は回転できない。よって、指輪は外フラップの上を滑らすように移動させることができ、切断用の突起３ｂも合わせ目に沿って動くことができるので、粘着テープは切断される。切断後、どちらかの外フラップを押して指を合わせ目から入れ、片方ずつ外フラップを引き起こすと段ボール箱を簡単かつ楽に開封することができる。
【００２１】
実施例２の指輪は、開封以外の作業中に指輪が回転して、切断用の突起３ｂが粘着テープに対し少し斜めにずれた状態であっても、指輪の板状部分がガイドになって切断用の突起３ｂを粘着テープに対しほぼ垂直にあてることができるため、粘着テープを切断しやすい。また、実施例１よりも構造が簡単であることも特徴である。
【符号の説明】
【００２２】
１、１ａ、１ｂ・・・指輪の輪
２、２ａ、２ｂ・・・指輪の回転防止用の突起
３、３ａ、３ｂ・・・粘着テープ切断用の突起
４、４ａ・・・箱の外フラップ
５、５ａ・・・箱の端面板
６、６ａ・・・箱の側面板
７、７ａ・・・粘着テープ
８、８ａ・・・一対の外フラップの合わせ目
９  ・・・粘着テープに形成された切れ込み
Ａ−Ａ´、Ｂ−Ｂ´・・・拡大図の部分
ｏ−ｏ´・・・指輪の回転方向
ｐ−ｐ´・・・指輪（手）の移動方向
【図１】
0006708878.tif 000002
【図２】
0006708878.tif 000003
【図３】
0006708878.tif 000004
【図４】
0006708878.tif 000005
【図５】
0006708878.tif 000006
【図６】
0006708878.tif 000007
【図７】
0006708878.tif 000008
【図８】
0006708878.tif 000009